(57)【要約】 【課題】  平べったい略直方体形状の巻回された粘着テープ製品の製造方法を提供する。【解決手段】  周表面に離型剤が付与された円筒状の巻芯３を準備する。この巻芯３に、従来公知の方法でガムテープ等の粘着テープを巻回して、円筒状の粘着テープ半製品１を得る。この粘着テープ半製品１を径方向に圧潰する。これによって、巻回粘着テープ２及び巻芯３の双方共に圧潰される。その後、圧潰された巻芯３を抜き取る。そして、この抜き取った箇所（中空部４となる。）に、平板５を挿入する。この後、前に圧潰した方向と同様の方向に再度圧潰する。以上のようにして、平べったい略直方体形状の粘着テープ製品が得られる。この粘着テープ製品は、従来の円筒形状の粘着テープ製品に比べて、取り扱いやすく、極めて有益なものである。【選択図】  図４
2008174643.tif 000002
【特許請求の範囲】
【請求項１】
周表面に離型剤が付与された円筒状の巻芯に、粘着テープを巻回した円筒状の粘着テープ半製品を径方向に圧潰した後、圧潰された該巻芯を抜き取ると共に、この抜き取った箇所に平板を挿入し、該径方向と同方向に再度圧潰することを特徴とする巻回された平型粘着テープ製品の製造方法。
【請求項２】
巻芯本体が紙管である請求項１記載の平型粘着テープ製品の製造方法。
【請求項３】
巻芯本体が、紙管の周表面にポリエチレン層等のプラスチック層を設けたものである請求項１記載の平型粘着テープ製品の製造方法。
【請求項４】
平板がプラスチック製の平板である請求項１記載の平型粘着テープ製品の製造方法。
【請求項５】
平板がポリエチレン製平板である請求項４記載の平型粘着テープ製品の製造方法。
【請求項６】
粘着テープがガムテープである請求項１記載の平型粘着テープ製品の製造方法。
【請求項７】
粘着テープが、感熱性接着剤が基材に塗布されてなる感熱性粘着テープである請求項１記載の平型粘着テープ製品の製造方法。
【請求項８】
請求項１乃至７のいずれか一項に記載の製造方法で得られた平型粘着テープ製品。
【発明の詳細な説明】
【技術分野】
【０００１】
本発明は、巻回された平型粘着テープ製品の製造方法に関し、特に、略直方体形状となっている粘着テープ製品の製造方法に関するものである。
【背景技術】
【０００２】
従来より、ガムテープ等の粘着テープ製品は、円筒形状のものであった。すなわち、円筒状の紙管等の巻芯上に、その周面に沿って粘着テープが何重にも巻回されてなる円筒形状のものであった（特許文献１）。
【０００３】
しかしながら、円筒形状の粘着テープ製品は、以下のような欠点があった。すなわち、（ｉ）ポケットに入りにくい、（ii）鞄等に収納する際に嵩張る、（iii）転がりやすい、（iv）持ちにくい、（ｖ）巻回した状態で粘着テープ表面に文字を書きにくい、（vi）使用後に巻芯を廃棄する際、巻芯が円筒状で大きくゴミの量が増える、（vii）商店で販売する際にも嵩張る、という欠点があった。
【０００４】
【特許文献１】特開２００５−２９８０９４公報
【発明の開示】
【発明が解決しようとする課題】
【０００５】
従来の円筒形状の粘着テープ製品の欠点を解決するためには、粘着テープ製品の形状を、平べったい略直方体形状にすれば良いと考えられる。たとえば、平板表裏面に、粘着テープを何重にも巻回してゆくことが考えられる。しかしながら、このような方法で粘着テープを巻回してゆくのは困難である。すなわち、円筒状の巻芯に粘着テープを巻回する場合には、巻芯に粘着テープの一方端末を接着させた後、巻芯を一定速度で回転させてゆけばよい。しかしながら、巻芯を平板にした場合、平板の表裏面に沿って粘着テープを巻回しなければならず、機械的に簡単に行えないのである。
【０００６】
そこで、本発明は、従来の円筒形状の粘着テープ製品を、径方向に圧潰して略直方体形状の粘着テープ製品を得ようという発想の下になされたものである。
【課題を解決するための手段】
【０００７】
すなわち、本発明は、周表面に離型剤が付与された円筒状の巻芯に、粘着テープを巻回した円筒状の粘着テープ半製品を径方向に圧潰した後、圧潰された該巻芯を抜き取ると共に、この抜き取った箇所に平板を挿入し、該径方向と同方向に再度圧潰することを特徴とする巻回された平型粘着テープ製品の製造方法、及びこのような製造方法で得られた略直方体形状を持つ平型粘着テープ製品に関するものである。
【０００８】
本発明においては、まず、周表面に離型剤が付与された円筒状の巻芯３を準備する。すなわち、円筒状の巻芯本体の周表面に離型剤が付与されてなる巻芯３を準備するのである。巻芯本体としては、従来公知のものであれば、どのようなものでも採用しうる。特に、従来周知の紙管は、圧潰しやすいので、好ましいものである。また、紙管の周表面にポリエチレン層等のプラスチック層を設けたものを、円筒状の巻芯本体としてもよい。
【０００９】
円筒状の巻芯３の周表面には、離型剤が付与されている。離型剤としては、従来公知ののものが用いられ、たとえば、非シリコーン系樹脂、シリコーン樹脂、テトラフルオロエチレン樹脂等が用いられる。具体的には、非シリコーン系樹脂又はシリコーン樹脂等の溶液又はエマルジョンを、巻芯本体の周表面に塗布し乾燥して離型剤を付与すれば、本発明で用いる円筒状の巻芯３が得られる。なお、周表面にポリエチレン層等のプラスチック層が設けられている巻芯本体を用いるときは、このプラスチック層表面に離型剤を付与する。
【００１０】
円筒状の巻芯３に、粘着テープを従来公知の方法で巻回し、円筒状の粘着テープ半製品１を得る。この粘着テープ半製品１とは、従来公知の円筒状の粘着テープ製品のことである（図１）。巻回される粘着テープ２としても、従来公知のものが用いられる。すなわち、織物、紙、合成樹脂製フィルム等の基材の片面に、粘着剤が塗布されたものが用いられる。粘着剤としては、従来公知の感圧性粘着剤や感熱性粘着剤等が用いられる。具体的には、織物の片面に感圧性粘着剤が塗布され、織物の他の面に離型処理が施されているガムテープが用いられる。
【００１１】
この円筒状の粘着テープ半製品１は、その径方向に圧潰される（図１の矢印方向）。すなわち、円筒状の粘着テープ製品１の軸方向ではなく、軸方向と直行する方向に圧潰されるということである。圧潰すると、図２に示したような底面形態となり、巻芯３及び巻回された粘着テープ２（以下、「巻回粘着テープ２」という。）の双方共に、圧潰されることになる。この状態で、圧潰された巻芯３のみを抜き取る。巻芯３の表面には、前述したように、離型剤が付与されている。したがって、粘着テープの粘着剤層と巻芯３の表面とが圧潰によって、強く密着していても、離型剤の作用によって、巻芯３を容易に抜き取ることができる。特に、巻芯３として、紙管の周表面にポリエチレン層等のプラスチック層が設けられた巻芯本体を用いているときは、プラスチック層表面に付与されている離型剤は、圧潰によっても紙管の肉厚部に浸透することがなく、プラスチック層表面に保持されているため、容易に巻芯３を抜き取ることができる。
【００１２】
圧潰された巻芯３を抜き取ると、図３に示したような底面形態となり、圧潰された巻回粘着テープ２のみとなる。すなわち、巻芯３を抜き取った箇所が中空部４となっている巻回粘着テープ２が得られる。この巻回粘着テープ２の中空部４に、平板５を挿入する。平板５としては、長方形状のものであれば、どのようなものでも使用しうる。一般的には、ポリエチレン製平板、ポリプロピレン製平板、ポリエステル製平板等のプラスチック製平板が用いられる。プラスチック製の場合、粘着テープの粘着剤と接着しにくく、プラスチック製平板に当接している巻回粘着テープ２の端末を剥離しやすい。したがって、巻回粘着テープ２の端末まで有効利用しうるという利点がある。
【００１３】
平板５を中空部４に挿入した後、円筒状の粘着テープ半製品１を圧潰したのと同様の径方向（図４の矢印方向）に、再度圧潰する。これによって、図５に示すような略直方体形状の粘着テープ製品が得られるのである。この粘着テープ製品は、巻回粘着テープ２が略直方体形状となっている。そして、その幅Ｗは粘着テープの幅となっており、その長さＬは粘着テープの長手となっており、その高さＨは粘着テープの巻回厚さとなっている。
【発明の効果】
【００１４】
以上のように、本発明に係る方法で得られた粘着テープ製品は、略直方体形状となっているので、以下のような効果を奏する。すなわち、（Ｉ）ポケットに入れて持ち運びしやすい、（II）鞄等に収納しても嵩張らない、（III）転がりにくいので扱いやすい、（IV）片手で簡単に把持できるので貼合作業がしやすい、（Ｖ）巻回粘着テープの表面が平らになっているので、そこに文字を書きやすい、（VI）使用後に廃棄する平板は、円筒状の巻芯に比べて小さいので、ゴミの量を低減しうる、（VII）略直方体形状であるので、商店で販売する際に、吊り下げておいても嵩張らない。よって、本発明に係る方法で得られた粘着テープ製品は、販売者にとっても消費者にとっても、種々の場面で取り扱いやすく、極めて有益なものである。
【実施例】
【００１５】
以下、本発明を実施例に基づいて説明するが、本発明は実施例に限定されるものではない。本発明は、販売者や消費者にとって極めて有益な平型粘着テープ製品を提供しうるものであるとして、解釈されるべきである。
【００１６】
実施例
外径約７ｃｍの紙管を準備した。この紙管の周表面に、ポリエチレン樹脂を塗布してポリエチレン樹脂層を形成した。このポリエチレン樹脂層表面に、ポリビニルオクタデシルカルボマート溶液（濃度５％、溶媒はトルエン）を塗布し、外径約８ｃｍの円筒状の巻芯を作成した。なお、ポリビニルオクタデシルカルボマートは非シリコーン系離型剤であって、構造式［ＣＨ2−ＣＨ（ＯＣＯＮＨＣ18Ｈ37）−］nで表されるものであり、分子量は１１００００〜１３５０００のものである。
【００１７】
この円筒状の巻芯に、従来公知の方法でガムテープを巻回して、外径約１０ｃｍで幅（軸方向高さ）約５ｃｍの円筒状の粘着テープ半製品を得た。この粘着テープ半製品に、３３ｋｇ重の荷重を径方向に負荷して、圧潰した。この結果、巻芯及び巻回粘着テープの双方共に、偏平な形状に圧潰された。
【００１８】
この後、巻芯を引き抜き、この箇所に、厚さ約１ｍｍ、幅約５ｃｍ、長さ約１５ｃｍのポリエチレン製平板を挿入した。挿入後、再度、３３ｋｇ重の荷重を前記と同様の径方向に負荷し、ポリエチレン製平板に粘着テープが密着するようにした。この結果、幅約５ｃｍ、高さ約３ｃｍ、長さ約１４ｃｍの略直方体形状の平型粘着テープ製品を得た。
【図面の簡単な説明】
【００１９】
【図１】本発明に用いる円筒状の粘着テープ半製品の一例を示す底面図である。
【図２】図１に示した粘着テープ半製品を径方向に圧潰した状態を示す底面図である。
【図３】図２に示した圧潰された粘着テープ半製品から、圧潰された巻芯を抜き取った後の状態を示す底面図である。
【図４】図３に示した巻芯を抜き取った箇所に、平板を挿入した状態を示す底面図である。
【図５】本発明に係る方法で得られた粘着テープ製品の一例を示した斜視図である。
【符号の説明】
【００２０】
１  粘着テープ半製品
２  巻回粘着テープ
３  巻芯
４  圧潰された巻芯を抜き取ったときに生じた中空部
５  平板
【図１】
2008174643.tif 000003
【図２】
2008174643.tif 000004
【図３】
2008174643.tif 000005
【図４】
2008174643.tif 000006
【図５】
2008174643.tif 000007
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
周表面に離型剤が付与された円筒状の紙管に、織物の片面に感圧性粘着剤が塗布され、該織物の他の面に離型処理が施されているガムテープを巻回した円筒状のガムテープ半製品を径方向に圧潰した後、圧潰された該紙管を抜き取ると共に、この抜き取った箇所に平板を挿入し、該径方向と同方向に再度圧潰することを特徴とする巻回された平型ガムテープ製品の製造方法。
【請求項２】
紙管本体の周表面にポリエチレン層等のプラスチック層が設けられている紙管を用いる請求項１記載の平型ガムテープ製品の製造方法。
【請求項３】
平板がプラスチック製の平板である請求項１記載の平型ガムテープ製品の製造方法。
【請求項４】
平板がポリエチレン製平板である請求項３記載の平型ガムテープ製品の製造方法。
【手続補正２】
【補正対象書類名】明細書
【補正対象項目名】全文
【補正方法】変更
【補正の内容】
【発明の詳細な説明】
【技術分野】
【０００１】
本発明は、巻回された平型ガムテープ製品の製造方法に関し、特に、略直方体形状となっているガムテープ製品の製造方法に関するものである。
【背景技術】
【０００２】
従来より、ガムテープ製品は、円筒形状のものであった。すなわち、円筒状の紙管上に、その周面に沿ってガムテープが何重にも巻回されてなる円筒形状のものであった（特許文献１）。
【０００３】
しかしながら、円筒形状のガムテープ製品は、以下のような欠点があった。すなわち、（ｉ）ポケットに入りにくい、（ii）鞄等に収納する際に嵩張る、（iii ）転がりやすい、（iv）持ちにくい、（ｖ）巻回した状態でガムテープ表面に文字を書きにくい、（vi）使用後に紙管を廃棄する際、紙管が円筒状で大きくゴミの量が増える、（vii ）商店で販売する際にも嵩張る、という欠点があった。
【０００４】
【特許文献１】特開２００５−２９８０９４公報
【発明の開示】
【発明が解決しようとする課題】
【０００５】
従来の円筒形状のガムテープ製品の欠点を解決するためには、ガムテープ製品の形状を、平べったい略直方体形状にすれば良いと考えられる。たとえば、平板表裏面に、ガムテープを何重にも巻回してゆくことが考えられる。しかしながら、このような方法でガムテープを巻回してゆくのは困難である。すなわち、円筒状の紙管にガムテープを巻回する場合には、紙管にガムテープの一方端末を接着させた後、紙管を一定速度で回転させてゆけばよい。しかしながら、紙管を平板にした場合、平板の表裏面に沿ってガムテープを巻回しなければならず、機械的に簡単に行えないのである。
【０００６】
そこで、本発明は、従来の円筒形状のガムテープ製品を、径方向に圧潰して略直方体形状のガムテープ製品を得ようという発想の下になされたものである。
【課題を解決するための手段】
【０００７】
すなわち、本発明は、周表面に離型剤が付与された円筒状の紙管に、織物の片面に感圧性粘着剤が塗布され、該織物の他の面に離型処理が施されているガムテープを巻回した円筒状のガムテープ半製品を径方向に圧潰した後、圧潰された該紙管を抜き取ると共に、この抜き取った箇所に平板を挿入し、該径方向と同方向に再度圧潰することを特徴とする巻回された平型ガムテープ製品の製造方法に関するものである。
【０００８】
本発明においては、まず、周表面に離型剤が付与された円筒状の紙管３を準備する。すなわち、円筒状の紙管本体の周表面に離型剤が付与されてなる紙管３を準備するのである。紙管本体としては、従来公知のものであれば、どのようなものでも採用しうる。特に、従来周知の紙管は、圧潰しやすいので、好ましいものである。また、紙管の周表面にポリエチレン層等のプラスチック層を設けたものを、円筒状の紙管本体としてもよい。
【０００９】
円筒状の紙管３の周表面には、離型剤が付与されている。離型剤としては、従来公知ののものが用いられ、たとえば、非シリコーン系樹脂、シリコーン樹脂、テトラフルオロエチレン樹脂等が用いられる。具体的には、非シリコーン系樹脂又はシリコーン樹脂等の溶液又はエマルジョンを、紙管本体の周表面に塗布し乾燥して離型剤を付与すれば、本発明で用いる円筒状の紙管３が得られる。なお、周表面にポリエチレン層等のプラスチック層が設けられている紙管本体を用いるときは、このプラスチック層表面に離型剤を付与する。
【００１０】
円筒状の紙管３に、ガムテープを従来公知の方法で巻回し、円筒状のガムテープ半製品１を得る。このガムテープ半製品１とは、従来公知の円筒状のガムテープ製品のことである（図１）。巻回されるガムテープ２としても、従来公知のものが用いられる。すなわち、織物基材の片面に、粘着剤が塗布されたものが用いられる。粘着剤としては、従来公知の感圧性粘着剤が用いられる。具体的には、織物の片面に感圧性粘着剤が塗布され、織物の他の面に離型処理が施されているガムテープが用いられる。
【００１１】
この円筒状のガムテープ半製品１は、その径方向に圧潰される（図１の矢印方向）。すなわち、円筒状のガムテープ製品１の軸方向ではなく、軸方向と直行する方向に圧潰されるということである。圧潰すると、図２に示したような底面形態となり、紙管３及び巻回されたガムテープ２（以下、「巻回ガムテープ２」という。）の双方共に、圧潰されることになる。この状態で、圧潰された紙管３のみを抜き取る。紙管３の表面には、前述したように、離型剤が付与されている。したがって、ガムテープの感圧性粘着剤層と紙管３の表面とが圧潰によって、強く密着していても、離型剤の作用によって、紙管３を容易に抜き取ることができる。特に、紙管３として、紙管本体の周表面にポリエチレン層等のプラスチック層が設けられた紙管を用いているときは、プラスチック層表面に付与されている離型剤は、圧潰によっても紙管の肉厚部に浸透することがなく、プラスチック層表面に保持されているため、容易に紙管３を抜き取ることができる。
【００１２】
圧潰された紙管３を抜き取ると、図３に示したような底面形態となり、圧潰された巻回ガムテープ２のみとなる。すなわち、紙管３を抜き取った箇所が中空部４となっている巻回ガムテープ２が得られる。この巻回ガムテープ２の中空部４に、平板５を挿入する。平板５としては、長方形状のものであれば、どのようなものでも使用しうる。一般的には、ポリエチレン製平板、ポリプロピレン製平板、ポリエステル製平板等のプラスチック製平板が用いられる。プラスチック製の場合、ガムテープの感圧性粘着剤と接着しにくく、プラスチック製平板に当接している巻回ガムテープ２の端末を剥離しやすい。したがって、巻回ガムテープ２の端末まで有効利用しうるという利点がある。
【００１３】
平板５を中空部４に挿入した後、円筒状のガムテープ半製品１を圧潰したのと同様の径方向（図４の矢印方向）に、再度圧潰する。これによって、図５に示すような略直方体形状のガムテープ製品が得られるのである。このガムテープ製品は、巻回ガムテープ２が略直方体形状となっている。そして、その幅Ｗはガムテープの幅となっており、その長さＬはガムテープの長手となっており、その高さＨはガムテープの巻回厚さとなっている。
【発明の効果】
【００１４】
以上のように、本発明に係る方法で得られたガムテープ製品は、略直方体形状となっているので、以下のような効果を奏する。すなわち、（Ｉ）ポケットに入れて持ち運びしやすい、（II）鞄等に収納しても嵩張らない、（III ）転がりにくいので扱いやすい、（IV）片手で簡単に把持できるので貼合作業がしやすい、（Ｖ）巻回ガムテープの表面が平らになっているので、そこに文字を書きやすい、（VI）使用後に廃棄する平板は、円筒状の紙管に比べて小さいので、ゴミの量を低減しうる、（VII ）略直方体形状であるので、商店で販売する際に、吊り下げておいても嵩張らない。よって、本発明に係る方法で得られたガムテープ製品は、販売者にとっても消費者にとっても、種々の場面で取り扱いやすく、極めて有益なものである。
【実施例】
【００１５】
以下、本発明を実施例に基づいて説明するが、本発明は実施例に限定されるものではない。本発明は、販売者や消費者にとって極めて有益な平型ガムテープ製品を提供しうるものであるとして、解釈されるべきである。
【００１６】
実施例
外径約７ｃｍの紙管本体を準備した。この紙管本体の周表面に、ポリエチレン樹脂を塗布してポリエチレン樹脂層を形成した。このポリエチレン樹脂層表面に、ポリビニルオクタデシルカルボマート溶液（濃度５％、溶媒はトルエン）を塗布し、外径約８ｃｍの円筒状の紙管を作成した。なお、ポリビニルオクタデシルカルボマートは非シリコーン系離型剤であって、構造式［ＣＨ2−ＣＨ（ＯＣＯＮＨＣ18Ｈ37）−］nで表されるものであり、分子量は１１００００〜１３５０００のものである。
【００１７】
この円筒状の紙管に、従来公知の方法でガムテープを巻回して、外径約１０ｃｍで幅（軸方向高さ）約５ｃｍの円筒状のガムテープ半製品を得た。このガムテープ半製品に、３３ｋｇ重の荷重を径方向に負荷して、圧潰した。この結果、紙管及び巻回ガムテープの双方共に、偏平な形状に圧潰された。
【００１８】
この後、紙管を引き抜き、この箇所に、厚さ約１ｍｍ、幅約５ｃｍ、長さ約１５ｃｍのポリエチレン製平板を挿入した。挿入後、再度、３３ｋｇ重の荷重を前記と同様の径方向に負荷し、ポリエチレン製平板にガムテープが密着するようにした。この結果、幅約５ｃｍ、高さ約３ｃｍ、長さ約１４ｃｍの略直方体形状の平型ガムテープ製品を得た。
【図面の簡単な説明】
【００１９】
【図１】本発明に用いる円筒状のガムテープ半製品の一例を示す底面図である。
【図２】図１に示したガムテープ半製品を径方向に圧潰した状態を示す底面図である。
【図３】図２に示した圧潰されたガムテープ半製品から、圧潰された紙管を抜き取った後の状態を示す底面図である。
【図４】図３に示した紙管を抜き取った箇所に、平板を挿入した状態を示す底面図である。
【図５】本発明に係る方法で得られたガムテープ製品の一例を示した斜視図である。
【符号の説明】
【００２０】
１  ガムテープ半製品
２  巻回ガムテープ
３  紙管
４  圧潰された紙管を抜き取ったときに生じた中空部
５  平板